(57)【要約】【課題】施設内の立体的な位置およびその位置に応じたフロアマップを携帯端末に表示させる地図情報提供システムを提供することにある。【解決手段】無線端末１１０と、記憶装置１０１と、地図情報提供装置１００とで構成され、無線端末１１０は施設内の複数の階に設置され、自端末の識別情報を付加して、取得要求を地図情報提供装置に送信する手段を有し、記憶装置１０１は無線端末の設置位置と、識別情報と、識別情報毎に異なるフロアマップと、フロアマップ内の所定の領域と、所定の領域に関する詳細情報とを関連付けて格納する手段を有し、地図情報提供装置１００はフロアマップ取得選択画面を送信して取得要求を受信し、受信した識別情報に基づき、フロアマップを選択し、施設内の階数と、関連情報の一部とを組み合わせて、フロアマップに表示して提供する手段を有する。【選択図】図１
2015061082.tif 000002
【特許請求の範囲】
【請求項１】
携帯端末と前記近距離無線通信を行う無線端末と、
データを格納する記憶装置と、
前記無線端末を経由して、前記携帯端末と送受信する地図情報提供装置と、で構成され、
前記無線端末は施設内の複数の階に設置され、前記携帯端末から前記取得要求を受信すると、自端末の識別情報を付加して前記取得要求を前記地図情報提供装置に送信する送信手段を有し、
前記記憶装置は前記無線端末の設置位置と、前記識別情報と、前記識別情報毎に異なる前記フロアマップと、前記フロアマップ内の所定の領域と、前記所定の領域に関する詳細情報とを関連付けて関連情報として格納する格納手段を有し、
前記地図情報提供装置は前記携帯端末に対し、フロアマップを取得するか否かを示すフロアマップ取得選択画面を送信する選択画面送信手段と、
前記識別情報が付加されている取得要求を受信する取得要求受信手段と、
受信した前記識別情報に基づき、前記記憶装置から前記フロアマップを選択し、施設内の階数と、前記関連情報の一部とを組み合わせて、前記フロアマップに表示し、提供する情報提供手段とを有する
ことを特徴とする地図情報提供システム。
【請求項２】
前記近距離無線通信機能がＮＦＣ、またはＢｌｕｅｔｏｏｔｈ、あるいはＷｉ−Ｆｉによる通信機能のいずれかである
ことを特徴とする請求項１に記載の地図情報提供システム。
【請求項３】
前記無線端末は前記無線端末間の通信範囲が干渉しない位置に設置される
ことを特徴とする請求項１に記載の地図情報提供システム。
【請求項４】
前記識別情報が通信アドレスである
ことを特徴とする請求項１乃至請求項３のいづれかに記載の地図情報提供システム。
【請求項５】
前記無線端末は端末の設置場所を一意にする設置コードを記憶し、
前記識別情報が設置コードである
ことを特徴とする請求項１乃至請求項３のいづれかに記載の地図情報提供システム。
【請求項６】
前記フロアマップ取得選択画面は検索条件入力画面を含んでいて、前記地図情報提供装置は、検索条件が付加されている前記フロアマップの取得要求を受信すると、前記詳細情報を検索し、前記検索条件に適合する前記所定の領域および前記関連情報の一部を強調表示する
ことを特徴とする請求項１乃至請求項５のいづれかに記載の地図情報提供システム。
【請求項７】
前記強調表示が、文字書体の変更、下線追加、線または範囲あるいは文字における色および太さの変更、点滅表示のうち、１以上である
ことを特徴とする請求項６に記載の地図情報提供システム。
【請求項８】
フロアマップを取得するか否かを示すフロアマップ取得選択画面を送信する送信工程と、
無線端末の識別情報が付加されている前記取得要求を受信する受信工程と、
受信した前記識別情報に基づき、フロアマップを選択し、施設内の階数と、前記フロアマップに関連する情報の一部とを組み合わせて、前記フロアマップに表示して提供する情報提供工程とを有する
ことを特徴とする地図情報提供方法。
【請求項９】
前記フロアマップ取得選択画面は検索条件入力画面を含んでいて、
前記情報提供工程は前記取得要求に検索条件が付加されていると検索を行い、前記検索条件に適合する領域および情報を強調表示する工程を含んでいる
ことを特徴とする請求項８に記載の地図情報提供方法。
【請求項１０】
前記強調表示が、文字書体の変更、下線追加、線または範囲あるいは文字における色および太さの変更、点滅表示のうち、１以上である
ことを特徴とする請求項９に記載の地図情報提供方法。
【発明の詳細な説明】
【技術分野】
【０００１】
本発明は、携帯端末の近距離無線通信機能を利用した地図情報提供システムおよび地図情報提供方法に関する。
【背景技術】
【０００２】
一般に、デパートなどの施設内において、目的の店舗などの位置を把握する場合、施設内に設置されている施設案内図を利用することが多い。しかし、施設案内図周辺が混雑していると、施設案内図を見たり、目的の店舗を探したり、することに時間がかかってしまう。
【０００３】
また、施設案内図を広告紙などに掲載して配布する場合は、使用後は廃棄されるため、環境に負荷を加えていた。
【０００４】
そこで、携帯端末の通信機能を利用して、携帯端末の表示画面に地図を表示させる手段が特許文献１に開示されている。
【０００５】
特許文献１には、地図の看板などに設置したリーダライタからＵＲＬ情報を受け取って、携帯電話網を介して地図情報サーバに接続し、リーダライタを設置した看板などの位置を携帯端末の表示画面の中心に配置させて地図を表示する地図情報提供方法およびシステムが開示されている。
【先行技術文献】
【特許文献】
【０００６】
【特許文献１】特開２００９−１５９５９２
【発明の概要】
【発明が解決しようとする課題】
【０００７】
しかしながら、案内図を設置している施設は内部が複数の階からなる施設もある。
【０００８】
特許文献１は平面の地図であり、立体的な位置を表示することは困難であった。
【０００９】
これらを鑑み、本発明の目的は、施設内の立体的な位置およびその位置に応じたフロアマップを携帯端末に表示させる地図情報提供システムを提供することである。
【課題を解決するための手段】
【００１０】
本発明の地図情報提供システムは、携帯端末と前記近距離無線通信を行う無線端末と、データを格納する記憶装置と、前記無線端末を経由して、前記携帯端末と送受信する地図情報提供装置と、で構成され、前記無線端末は施設内の複数の階に設置され、前記携帯端末から前記取得要求を受信すると、自端末の識別情報を付加して前記取得要求を前記地図情報提供装置に送信する送信手段を有し、前記記憶装置は前記無線端末の設置位置と、前記識別情報と、前記識別情報毎に異なる前記フロアマップと、前記フロアマップ内の所定の領域と、前記所定の領域に関する詳細情報とを関連付けて関連情報として格納する格納手段を有し、前記地図情報提供装置は前記携帯端末に対し、フロアマップを取得するか否かを示すフロアマップ取得選択画面を送信する選択画面送信手段と、前記識別情報が付加されている取得要求を受信する取得要求受信手段と、受信した前記識別情報に基づき、前記記憶装置から前記フロアマップを選択し、施設内の階数と、前記関連情報の一部とを組み合わせて、前記フロアマップに表示して提供する情報提供手段とを有することを特徴とする。
【００１１】
本発明の地図情報提供方法はフロアマップを取得するか否かを示すフロアマップ取得選択画面を送信する送信工程と、無線端末の識別情報が付加されている前記取得要求を受信する受信工程と、受信した前記識別情報に基づき、フロアマップを選択し、施設内の階数と、前記フロアマップに関連する情報の一部とを組み合わせて、前記フロアマップに表示して提供する情報提供工程とを有することを特徴とする。
【発明の効果】
【００１２】
本発明によれば、施設内の立体的な位置およびその位置に応じたフロアマップを取得することができる。
【図面の簡単な説明】
【００１３】
【図１】本実施形態に係る地図情報提供システムの概略装置の構成例を示す図である。
【図２】記憶装置１０１に格納するデータの例を示す図である。
【図３】記憶装置１０１に格納するデータの例を示す図である。
【図４】記憶装置１０１に格納するデータの例を示す図である。
【図５】記憶装置１０１に格納するデータの例を示す図である。
【図６】本実施形態の処理フローの例を示す図である。
【図７】フロアマップ取得の要求画面の表示例を示す図である。
【図８】フロアマップの表示例を示す図である。
【図９】フロアマップの表示例を示す図である。
【図１０】フロアマップの表示例を示す図である。
【図１１】フロアマップの表示例を示す図である。
【発明を実施するための形態】
【００１４】
以下に、本発明を実施するための形態について図面を用いて説明する。但し、以下に述べる実施形態には、本発明を実施するために技術的に好ましい限定がされているが、発明の範囲を限定するものではない。
【００１５】
図１は本実施形態に係る地図情報提供システムの概略構成例を示す図である。
【００１６】
本実施形態に係る地図情報提供システムは、フロアマップを提供する地図情報提供装置１００と、フロアマップおよびフロアマップに関連情報を格納する記憶装置１０１と、１以上の無線端末１１０と、これらを繋ぐ固定通信網１２０と、フロアマップを表示する携帯端末２００と、で構成される。
【００１７】
地図情報提供装置１００は無線端末１１０と固定通信網１２０を経由して接続されるサーバやコンピュータなどであり、無線端末１１０を経由してフロアマップの取得選択画面を送信する手段と、フロアマップの取得要求を受信した無線端末を判断してフロアマップを選択し、施設内の階数と、関連情報の一部とを組み合わせて、フロアマップ提供する手段と、取得要求に検索条件が付加されていれば関連情報を検索し、検索条件に適合する領域および前記関連情報の一部を強調表示する手段と、を備える。
【００１８】
記憶装置１０１はハードディスクなどの記憶装置であり、フロアマップと、無線端末１１０およびフロアマップ内の所定の領域に関連する情報と、これらを関連付ける情報などを格納する。格納するデータについては後述する。記憶装置１０１は地図情報提供装置１００に内蔵であってもよいし、ネットワーク上の単体の記憶装置であってもよいし、ネットワークサーバに内蔵であってもよい。
【００１９】
無線端末１１０はＮＦＣ（Ｎｅａｒ  Ｆｉｅｌｄ  Ｃｏｍｍｕｎｉｃａｔｉｏｎ）、Ｂｌｕｅｔｏｏｔｈ（登録商標）、Ｗｉ−Ｆｉなどの近距離無線通信の送受信装置であり、携帯端末２００に対し、フロアマップ取得の要求画面を送信する手段と、携帯端末２００からフロアマップ取得の要求を受信すると、予め設定された自端末の識別情報を付加して、地図情報提供装置１００にフロアマップの送信要求を送信する手段を備える。ここで、識別情報とは無線端末の設置場所を一意に特定する設置コード、またはＭＡＣアドレスやＩＰアドレスなどの通信アドレス、である。また、無線端末１１０は通信距離によって、設置場所が異なり、例えば、ＮＦＣであれば、床設置の施設案内図の表示設備に内蔵され、Ｗｉ−Ｆｉであれば、施設案内図の表示設備の近傍の天井面に設置される。また、無線端末１１０は、複数台を設置する場合には、例えば、図２の曲線ａおよびｂに示すように、各々の通信範囲が干渉しない場所に設置される。
【００２０】
固定通信網１２０は施設内部のイントラネットを最小構成とするイントラネットおよびインターネットなどの固定通信網である。
【００２１】
携帯端末２００は携帯電話、スマートフォン、タブレット端末などであって、無線端末１１０と近距離無線通信する機能を備え、無線端末１１０との近距離無線通信において、フロアマップ取得の要求画面を受信し、フロアマップ取得の要求を送信して、受信したフロアマップを表示して記憶する手段を備える。
【００２２】
ここで記憶装置１０１に格納するデータについて説明する。
【００２３】
図２〜図４は記憶装置１０１に格納するデータの例である。
【００２４】
図２は施設内の無線端末１１０の設置場所を例示する図であり、Ａ〜Ｆは端末を示す。例えば、”Ａ”は図１の無線端末−Ａ（クロスハッチング部）を示す。
【００２５】
図３は無線端末と、フロアマップとを関連付ける情報の例である。
【００２６】
設置コードは設置位置を示し、無線端末が設置される階数および設置場所の特徴からなる。例えば、”１Ｆ−ＥＲ”は”１階入口付近”を示し、”Ｂ１−ＥＶ”は”地下１階エレベータ付近”を示す。なお、設置コードを階数と設置場所の特徴とに分けることもできる。
【００２７】
図４はフロアマップ”ＭＡＰ−１ＦＡ”の例であり、所定の領域にエリア番号（１〜１８）を付加している。
【００２８】
図５はフロアマップ内の所定の領域に関する情報の例であり、位置情報によりフロアマップ内の所定の領域と関連付けている。例えば、”１Ｆ−１”は１階のエリア番号”１”を示し、図４の”１”（クロスハッチング部）と関連付き、店舗名”ＡＡＡ”の位置が図４の”１”であることを示す。なお、位置情報を階数とエリア番号とに分けることもできる。
【００２９】
次に本実施形態に係る地図情報提供システムの動作について、説明する。
【００３０】
図６は本実施形態の処理フローの例を示す図である。
【００３１】
地図情報提供装置１００はフロアマップ取得の要求画面を、無線端末１１０を経由して発信している（Ｓ１０１）。なお、発信する時間は、例えば施設営業時間など、予め時間を設定することができる。
【００３２】
携帯端末２００は近距離無線通信機能を稼働させる（Ｓ２０１）と、フロアマップ取得の要求画面を受信するか否かの画面を表示し、受信が選択される（Ｓ２０２）とフロアマップ取得の要求画面を表示画面に表示する（Ｓ２０３）。この時のフロアマップ取得の要求画面の例を図７に示す。受信が選択されないと、処理を終了する。
【００３３】
次に、携帯端末２００は検索条件が入力されてＯＫボタンが押下される（Ｓ２０４）と、検索条件を付加（Ｓ２０５）し、てフロアマップ取得の要求を送信する（Ｓ２０６）。検索条件が入力されずにＯＫボタンが押下されると、検索条件なしでフロアマップ取得の要求を送信する。
【００３４】
地図情報提供装置１００は、無線端末１１０を経由してフロアマップ取得の要求および無線端末１１０の識別情報を受信する（Ｓ１０２）。無線端末１１０を経由する際に、無線端末１１０は予め設定された自端末の識別情報を付加してフロアマップ取得の要求を地図情報提供装置１００に送信する。
【００３５】
地図情報提供装置１００は識別情報に基づき、記憶装置１０１に格納する無線端末とフロアマップの関連付ける情報から提供するフロアマップを選択する（Ｓ１０３）。
【００３６】
次に、地図情報提供装置１００はフロアマップ取得の要求に検索条件が付加されているか否かを確認し（Ｓ１０４）、検索条件が付加されている場合は、検索を行い、その結果に適合する領域のフロアマップの表示を変更して（Ｓ１０５）、フロアマップを送信する（Ｓ１０６）。付加されていなければ、選択したフロアマップを送信する。
【００３７】
携帯端末２００は、フロアマップを受信して保存し、表示画面に表示する（Ｓ２０７）。ここで、保存するか否かを選択させる画面を表示し、ユーザに選択させることができる。また、移動により、無線端末１１０との通信が切断されると、表示を更新するか否かの画面を表示し、更新が選択されると、移動先の無線端末１１０に応じたフロアマップを受信し、表示する。
【００３８】
次に、携帯端末２００が表示するフロアマップについて説明する。
【００３９】
検索条件がない場合に提供するフロアマップの例を図８、図９に示し、検索結果を表示するフロアマップの例を図１０、図１１に示す。
【００４０】
図８は図２のマップ名が”ＭＡＰ−１ＦＡ”のフロアマップの例を示す図である。
【００４１】
フロアマップは、施設の階層および現在の階層を示す図（８ａ）と、無線端末の設置場所とエリア番号を表示したレイアウト図と、エリア番号に該当する店舗名との関連付ける表と、を表示し、無線端末の設置場所が表示画面の下部に配置されるように表示する。フロアマップ内におけるエリア番号を店舗名に置き換えることもできる。
【００４２】
図９は図２のマップ名が”ＭＡＰ−１ＦＢ”のフロアマップの例を示す図である。
【００４３】
同一階に複数の無線端末が設置されている場合、受信した無線端末に応じて、フロアマップが異なり、本図は無線端末Ｂより受信した場合の図である。
【００４４】
図１０は図２のマップ名が”ＭＡＰ−２ＦＡ”のフロアマップの例を示す図である。
【００４５】
検索条件に適合したエリア番号を強調表示（クロスハッチング部）し、他の階にも適合する店舗があることを示す図（１０ａ）のフロアマップの例である。
【００４６】
図１１は図２のマップ名が”ＭＡＰ−２ＦＡ”のフロアマップの例を示す図である。
【００４７】
現在の階を強調表示（１１ａ）したり、検索条件に適合したエリア番号の行を強調表示したり、したフロアマップの例である。
【００４８】
強調表示は、他に、文字書体を変更したり、文字に下線を追加したり、線または領域あるいは文字における色および太さの変更、点滅表示、などがある。
【００４９】
以上のように、本発明によれば、施設内の立体的な位置およびその位置に応じたフロアマップを取得することができる。
【符号の説明】
【００５０】
１００    地図情報提供装置
１０１    記憶装置
１１０    無線端末
１２０    固定通信網
２００    携帯端末
【図１】
2015061082.tif 000003
【図２】
2015061082.tif 000004
【図３】
2015061082.tif 000005
【図４】
2015061082.tif 000006
【図５】
2015061082.tif 000007
【図６】
2015061082.tif 000008
【図７】
2015061082.tif 000009
【図８】
2015061082.tif 000010
【図９】
2015061082.tif 000011
【図１０】
2015061082.tif 000012
【図１１】
2015061082.tif 000013